(57)【要約】本発明は、光から保護する必要のある製品を収納するためのビン、フラスコ、タンク又は類似物のようなコンテナに関し、前記コンテナは熱可塑性プラスチック物質からつくられ、かつ、プレフォームのブロー又は引っ張りブローによって製造されており、その特徴は、前記コンテナが２〜４重量％レベルの酸化チタン粉末の添加とともに、２〜４重量％レベルの雲母フレークを均一に混ぜられた熱可塑性プラスチック物質の層を有することである。【特許請求の範囲】
【請求項１】
熱可塑性プラスチック製であってプレフォームのブロー成形又は延伸ブロー成形によって製造される、光から保護する必要のある製品を容れることを目的としたビン、フラスコ、缶又は類似物のようなコンテナであって、前記コンテナが２〜４重量％レベルの粉末酸化チタンの添加とともに、２〜４重量％レベルに雲母フレークが均一に混ぜられた熱可塑性プラスチック層を含むことを特徴とする、前記コンテナ。
【請求項２】
コンテナが、前記層を形成する混ぜられたプラスチック物質の単一層からなることを特徴とする、請求項１記載のコンテナ。
【請求項３】
コンテナが、外側がそれをぴったりつかむスリーブで覆われ、かつ、前記層を構成する混ぜられた熱可塑性プラスチックでつくられていいることを特徴とする、請求項１記載のコンテナ。
【請求項４】
雲母が約２〜４重量％レベルまで、酸化チタンが約２〜４重量％のレベルまでそれぞれの割合で存在し、その結果組み合わせ量が約４重量％を表わすことを特徴とする、請求項１ないし３のいずれか１項記載のコンテナ。
【請求項５】
雲母が約２重量％のレベルで存在し、酸化チタンが約２重量％のレベルで存在することを特徴とする、請求項４記載のコンテナ。
【請求項６】
熱可塑性プラスチックがポリエチレンテレフタレート ＰＥＴ、ポリエチレンナフタレート ＰＥＮ、及び高密度ポリエチレン ＨＤＰＥ から選ばれることを特徴とする、請求項１ないし５のいずれか１項記載のコンテナ。
【請求項７】
請求項１ないし６のいずれか１項に記載のように形成されることを特徴とする、牛乳ビン。
【発明の詳細な説明】
【技術分野】
【０００１】
本発明は、光から保護されねばならない製品を収納することを目的とした、ビン、フラスコ、缶又はその類似物のようなコンテナについてなされた改良に関し、これらコンテナは熱可塑性プラスチック製であり、プレフォームのブロー成形又は延伸ブロー成形によって製造される。
【背景技術】
【０００２】
ある種の製品は光の作用によって有害な影響を受ける。
【０００３】
光が自然光であれ、又は極めて稀ではあるが人工の光であれ、光の影響で味が変わり、牛乳の場合が特にそうである。
【０００４】
“光の味”で知られるこの影響を受ける味は２つの形で発現する：
・  非常に速やかに現れる“活性化した味”（キャベツの味、気のぬけた味又はきのこの味）、
・  徐々に発現する酸化味（ボール紙、紙、金属又は油の味）。
【０００５】
これらの不快な味は幾つかの現象によって起される。：
・  アミノ酸や蛋白質の分解、特に“活性化”味の主たる原因であるメチオニンの分解；
・  ビタミンの転化、特に“活性化”した味の原因の１つである、例えばリボフラビンなどの水溶性ビタミンの著しい損失、及び脂溶性ビタミン、例えばレチニルの分解；
・  ４５０ｎｍより短い波長でのパルミチン酸塩（ビタミンＡ）；
・  酸化した味の主原因である、不飽和脂肪酸の酸化。
【０００６】
光の影響は牛乳が受けた処理によっても変わる。
【０００７】
最後に、牛乳の不快な光味のはじまりは幾つかのパラメータに左右される：
・  牛乳が受けた光の量（光の強度及び被曝時間）
・  放射の波長
・  製品自体の感受性
・  温度
特に、光の味は可視ならびに紫外線範囲それぞれの窓で、５５０ｎｍより短い波長の放射によって実質的に引き起こされるように思われる。それゆえ国際牛乳連盟（Ｔｈｅ  Ｉｎｔｅｒｎａｔｉｏｎａｌ  Ｍｉｌｋ Ｆｅｄｅｒａｔｉｏｎ）は、４００ｎｍの光を２％しか、５００ｎｍの光を８％しか伝達しない包装の使用をリコメンドしている。
【０００８】
最後に、包装の材料厚さと体積／表面積の比もまた悪い味の始まりに影響する。
【０００９】
前述の説明から、牛乳又は酪農製品が保存される時間は、光に対する保護がより効果的になされるならば延ばすことができると云うことが容易にわかるるであろう。
【００１０】
色をつけたビンで試験が実施された。これは、透明又は半透明のビンよりも牛乳の良好な保存が得られたが、必要な条件下で牛乳に良好な貯蔵寿命を与えることができるとは立証されなかった。
【００１１】
長寿命牛乳を販売するのに極く広く使用される解決法は、互いに貼り合わされた３層以上の薄層の熱可塑性プラスチック物質（たとえばＨＤＰＥ）で形成された多層コンテナを製作することにある。この多層のうち内側層の少なくとも１つは顔料が混ぜられていて光に対して不透明にする（長寿命ビンで内側層が黒色）。これにより貯蔵寿命が市場によって要求される条件を達成することができる。同じような解決法はＰＥＴにも適用できる：しかしながら、この場合、はじめのプレフォームの製造が非常に複雑で高コストであり；さらに、層の剥離がその後起こる可能性がある。                      
【００１２】
一般に、現在使用されているか又は考えられている既知方法は、実施するのが複雑であり、ＰＥＴの場合は不経済で、かつ、非常に複雑である。
【発明の開示】
【発明が解決しようとする課題】
【００１３】
それゆえユーザー（コンテナならびに包装の製作者）は、光の影響に対して効果的な保護を有する製品を提供し、しかも現在使用中の当該コンテナよりも製造が簡単でコストの少ない熱可塑性プラスチック製（ポリエチレンテレフタレート ＰＥＴ、ポリエチレンナフタレート ＰＥＮ、高密度ポリエチレン ＨＤＰＥ など）のコンテナに対して緊急の必要性を有している。
【課題を解決するための手段】
【００１４】
これらのために、本発明は、２〜４重量％レベルの粉末酸化チタンの添加とともに、２〜４重量％レベルの雲母フレークが均一に混ぜられた熱可塑性プラスチックの層を含むことを特徴とする、序言に述べたようなコンテナを提案する。
【発明を実施するための最良の形態】
【００１５】
本発明の望ましい実施態様にしたがって、このコンテナは前述の層を形成する混ぜられたプラスチック物質の単一層でつくられており、これがコンテナ製造方法をより簡単でコストの少ない方法にする。しかしながら、少なくともある使用には、コンテナがそれを強く締めるスリーブで外側が覆われており、かつそのスリーブが、前述の層を構成する混ぜられた熱可塑性プラスチック物質でつくられることからなる実施態様を本発明は除外しない。
【００１６】
本発明にしたがう手はずによって、光障壁効果がある程度までは雲母顔料単独で、それより少ない程度までは酸化チタン粉末単独によって与えられる。これとは対照的に、特に効果的な効果が雲母顔料と酸化チタン粉末の組み合わせによって得られる。この光障壁効果は、約５５０ｎｍより短い波長、すなわち牛乳の分解プロセスに最も大きな役割を演ずる放射に対して特にはっきり現れる。
【００１７】
光障壁効果は、熱可塑性物質内に分散されて光の伝播に対する物理的な障壁を形成する雲母の微小フレーク全体によって与えられるので、これらの微小フレークが、望ましい効果を与えることができる連続的な障壁を形成可能になるのに十分な量で存在することが必要である。
【００１８】
しかしながら、他方、前記の層が製造されている場合、雲母の微細フレーク（これは熱絶縁体である）の存在は熱可塑性プラスチック物質の加熱を妨げることがあり得る。また、コンテナが単一層でつくられる場合は、ブロー成形又は延伸ブロー成形工程に先立ってプレフォームが適切に加熱され得ることが絶対に不可欠であり、さらにまた雲母微細フレークの充填量が、コンテナ製造中のブロー成形又は延伸ブロー成形工程の適切な進行を妨げないような割合で存在することも必要である。
【００１９】
同様に、酸化チタン粉末の過剰な割合も、加熱されたプラスチックペーストの濃縮とコンテナ製造中に続いて起る障害のゆえに、避ける必要がある。
【００２０】
２つの添加物の合計が約８重量％を超さない割合が、これらの矛盾した要求を十分に満たすように思われる。
【００２１】
最後に、雲母顔料と酸化チタンの両方とも、コンテナの製造及びその使用のためにコンテナが機械的性質を変えないように、熱可塑性プラスチック物質中に極く最小量で導入することが望ましい生産物である。この要求に応えるため、コンテナ製造方法を混乱させないことを目的とした上述の束縛にしたがいながら、同時に、組み合わせが約４重量％に限定されるように、好ましくはそれぞれの割合が、雲母が約２〜４重量％のレベル、酸化チタンが約２〜４重量％のレベルで存在するように準備がなされる。通常、雲母が約２重量％、酸化チタンが約２重量％で存在するように準備することによって望ましい結果が得られる。
【００２２】
さらに詳しくは、雲母の微細フレークがすべて一部オーバーラップして互いに平行に、さらにコンテナの壁表面に平行に配列される（屋根のタイルのように配列）場合に光障壁効果が最適化される；  これによって光がコンテナ中に容れられている製品に到達できるコンテナの壁の厚さを通る直線的な路は全く存在しないことを確実にすることが可能である。
【００２３】
特に、単一層のコンテナの場合、微細なフレークの必要な位置決めは、最終のコンテナ中に２方向配置分子が生ずるため熱可塑性プラスチックのプレフォームが受けなければならないブロー成形又は延伸ブロー成形工程中に自然に得られる： 2方向づけをもたらすダブル延伸（軸方向及び半径方向）は、同時に微細フレークを必要とする屋根タイル様式に方向づけさせ、このことでこれを達成するための別の処理工程をあらかじめ考慮する何らの必要性もない。
【００２４】
本発明にしたがう手はずは、ポリエチレンテレフタレート ＰＥＴ、ポリエチレンナフタレート ＰＥＮ 及び高密度ポリエチレン ＨＤＰＥ から選ばれる熱可塑性プラスチック物質で光障壁層が得られるコンテナの製造において好ましい用途を見出す。
【００２５】
前述の説明から既に明らかなように、本発明は、非独占で非限定的ではあるが、牛乳の味を悪くしないで十分な長時間保存を可能にする、光に対して障壁を形成する雲母フレークと酸化チタン粉末を混ぜられたＰＥＴ単一層でつくられた牛乳ビンの特に有益な用途を目的としている。通常、２重量％の雲母及び２重量％の酸化チタンを混ぜたＰＥＴ単一層でつくられたビンが、長寿命牛乳を平均的貯蔵条件で法律によって必要とされる３ケ月よりも長い間保存可能にする。
【００２６】
また前述の説明から明らかなように、本発明は牛乳又は酪農製品の保存分野に限定されず、油、例えば特にオリーブ油あるいはビールなどの光に不安定な他の製品の貯蔵に用途を見出すことができる。
【国際調査報告】
2005523845.tif 000002
2005523845.tif 000003
2005523845.tif 000004
2005523845.tif 000005
2005523845.tif 000006
2005523845.tif 000007